(57)【特許請求の範囲】
【請求項１】
金銭的価値のある文書の送り込み及び送り出し用装置であって、外から該装置の機能を制御する指令手段（１０）と、互いに相互作用するベルト（１１〜１３）の間の前記装置内に供給された金銭的価値のある文書を貯蔵する貯蔵手段（１１〜１３）とを具備する装置において、外から前記装置内に供給された金銭的価値のある文書の貯蔵のために、前記貯蔵手段（１１〜１３）は、入ってくる文書のために明瞭に配分されかつ正しく合わされた文書貯蔵位置（１１３、１１４、１１５、・・・１１ｎ）を有し、更に検出手段（４１２）を具備し、該検出手段（４１２）は、前記装置の入力側に配置され、かつ前記貯蔵手段（１１〜１３）の明瞭な占有されない位置（１１５）への前記文書の貯蔵の前に、入ってくる金銭的価値のある文書を識別するように作用し、更に記憶手段（１４）を具備し、該記憶手段（１４）は前記貯蔵手段（１１〜１３）に入ってくる文書のそれぞれの位置に関する情報を記憶し、更に処理装置（４１５）を具備し、該処理装置（４１５）は、前記検出手段（４１２）から受け取られた情報と、金銭的価値のある文書が貯蔵される前記明瞭な位置（１１５）に関する情報とを前記記憶手段（１４）に記憶し、更に通路選択手段（１６）を具備し、該通路選択手段（１６）により、第一位置（１６１）に位置する際に、金銭的価値のある文書は、前記貯蔵手段（１１〜１３）に供給され、更に第二位置（１６２）に位置する際に、前記記憶手段（１４）から得られた情報に従って、前記貯蔵手段（１１〜１３）に以前に貯蔵された金銭的価値のある文書は、前記指令手段（１０）を介して入れられた指令に応答して前記装置から分配され、前記装置は、それぞれの送り込みの際に異なる金銭的価値のある文書の混合物を受け取ること、及びそれぞれの送り出しの際に前記指令手段（１０）により予め決定された、必要な数及び必要な型式の金銭的価値のある文書を分配することが可能であり、
前記装置の外からアクセス可能な送り込み開口（１７）と前記貯蔵手段（１１〜１３）との間に予備貯蔵手段（１８）が提供され、該予備貯蔵手段（１８）の容量は、前記貯蔵手段（１１〜１３）の容量よりも小さく、金銭的価値のある文書が前記装置内に供給される際に、前記予備貯蔵手段（１８）は、前記文書の必要な整理及び再配置並びに検出の後に、前記金銭的価値のある文書を貯蔵空間に一時的に貯蔵し、続いて前記貯蔵手段（１１〜１３）の移動可能な前記ベルト（１３、１１）に正確に同期して前記貯蔵手段（１１〜１３）まで前記文書を送るように作用することを特徴とする装置。
【請求項２】
前記貯蔵手段（１１〜１３）は、金銭的価値のある文書が送り出されるか送り込まれるかに依存して、第一ベルトリール（１１１）に巻かれかつそれからほどかれる、更に第二ベルトリール（１１２）からほどかれかつそれに巻かれるように意図された第一ベルト（１１）を具備し、更に該第一ベルト（１１）と共に前記第一ベルトリール（１１１）に巻かれかつそれからほどかれるように意図された第二ベルト（１２）を具備し、更に前記第一ベルト（１１）と共に前記第二ベルトリール（１１２）からほどかれかつそれに巻かれるように意図される第三ベルト（１３）を具備し、前記第二及び第三のベルト（それぞれ１２又は１３）は、共に金銭的価値のある文書の送り込み／送り出し開口（１５）を形成し、該開口には、複数位置通路選択手段（１６）が配列され、該手段（１６）により、第一位置（１６１）では、前記装置に供給された金銭的価値のある文書は、前記第一ベルト（１１）と残りの二つのベルトの一方（１２又は１３）との間に貯蔵され、更に前記手段（１６）により、第二位置（１６２）では、金銭的価値のある文書は、前記第一ベルト（１１）と前記第三ベルト（１３）との間の貯蔵位置から送り出されることを特徴とする請求項１に記載の装置。
【請求項３】
前記予備貯蔵手段（１８）は第四ベルト（１８２）を具備し、該第四ベルト（１８２）は、貯蔵リール（１８４）に巻かれかつそれからほどかれ、更に端部リール（１８６）からほどかれかつそれに巻かれるように構成され、更に運搬用通路（１８１）は、前記装置の外からアクセス可能な送り出し開口（１９）に近接して配置された前記端部リールと前記予備貯蔵手段（１８）との間に延長し、更に前記予備貯蔵手段（１８）及び前記運搬通路（１８１）は、共に、前記送り込み／送り出し開口（１５）に近接する第二送り込み／送り出し開口（２５）を形成し、該送り込み／送り出し開口（２５）には第二複数位置通路選択手段（２６）が配列され、該第二複数位置通路選択手段（２６）により、第二位置（２６２）に位置する際には、金銭的価値のある文書は、一時的な貯蔵のために、前記貯蔵手段（１１〜１３）から前記貯蔵リール（１８４）まで送られることを特徴とする請求項１に記載の装置。
【請求項４】
第一位置（２６１）に位置する際には、前記第二複数位置通路選択手段（２６）により、前記貯蔵手段（１１〜１３）での貯蔵のための金銭的価値のある文書の送り出しが可能にされ、更に二つの位置（３６１、３６２）を有する第三の複数位置通路選択手段（３６）がどちらの位置に設定されるかに依存して、前記貯蔵手段（１１〜１３）から前記装置の前記送り出し開口（１９）への、又は収集カセット（２０）への金銭的価値のある文書の送り出しが可能にされることを特徴とする請求項３に記載の装置。
【発明の詳細な説明】
【０００１】
【発明の属する技術分野】
本発明は、例えば銀行紙幣、小切手等である、金銭的価値のある文書の送り込み及び送り出し用装置に関し、より詳細には、装置の機能を外から制御するための指令手段と、互いに相互作用するベルトの間の装置に送り込まれる金銭的価値のある文書を貯蔵するための貯蔵手段とを有する装置に関する。
【０００２】
【従来の技術】
銀行紙幣預け装置（送り込み）及び銀行紙幣払戻し装置（送り出し）は、従来の技術から周知である。更に銀行紙幣の結合された預け入れ及び払戻しのための装置が従来の技術から周知である。これらの装置は、通常カセット又は箱を有し、銀行紙幣は、その一端から送り込まれ、その他端から送り出される。これらの後者の装置は、比較的複雑でありかつかさばり、更に製造及び使用に費用がかかってしまう。
【０００３】
更に銀行紙幣貯蔵装置が従来の技術から周知であり、それらの装置では、銀行紙幣は、巻かれたベルトの回転の間に貯蔵される。しかしながら、これらの装置は、その機能が十分に柔軟性を有さずかつ正確ではなかったために、幅広く使用されなかった。
【０００４】
【発明が解決しようとする課題】
それゆえ、本発明の目的は、新しい原理に従って作動し、かつ上述された課題及び限定が回避され、かつ混ざった種類の銀行紙幣の送り込み／送り出しがかなり容易にされる、装置を提供することである。
【０００５】
【課題を解決するための手段】
上述された種類の装置では、外から装置内に送り込まれる金銭的価値のある文書を貯蔵するための貯蔵手段は、入ってくる文書のための、明瞭に配分されかつ正しく合わされた文書貯蔵位置であり、更に検出手段は、貯蔵手段の明瞭かつ占有されていない位置に文書が貯蔵される前に、入ってくる金銭的価値のある文書を確認するために装置の入力側に提供される。更に本発明の装置は、貯蔵手段に入ってくる文書のそれぞれの位置に関する情報を記憶するためのメモリ手段を具備し、更に検出手段から受け取られた情報と、金銭的価値のある文書が貯蔵される明瞭な位置に関する情報とをメモリ手段に貯える処理装置を具備する。更に装置は通路選択手段を有し、第一位置に位置する際に、通路選択手段により、金銭的価値のある文書は貯蔵手段に供給され、更に第二位置に位置する際に、通路選択手段により、メモリ手段から得られた情報に従って、文書貯蔵手段に先に貯蔵された金銭的価値のある文書は、指令手段を介して入力された指令に応答して装置から払戻される。
【０００６】
更に本発明の装置は、金銭的価値のある文書が預けられるそれぞれの機会に、混ざった異なる文書を受け取り可能であり、更に指令手段による指令に従って必要な数の必要な型式の文書を払戻すことが可能である。本発明の装置のこれらの及び他の特徴は、特許請求の範囲から明らかである。
【０００７】
【発明の実施の形態】
図１に示された装置は、指令手段１０を具備し、指令手段により、装置の機能が外から制御され、更に装置は、互いに相互作用するベルト１１、１２、１３を有する貯蔵手段１１〜１３を具備し、ベルトの間には、預けられた金銭的価値のある文書（銀行紙幣）が貯蔵される。更に貯蔵手段は、複数（１０００）の明瞭な貯蔵位置１１３、１１４、１１５、・・・１１ｎを有し（図２）、それらは外から預けられた銀行紙幣を収容するように意図され、各位置で一つの銀行紙幣が収容される。更に装置はメモリ１４を有し、預けられた銀行紙幣に関する情報、つまりそれぞれの位置に貯蔵された各銀行紙幣の値又は種類、例えば位置１１３のSEK100、位置１１４のSEK1,000、位置１１５のSEK500等が記憶される。
【０００８】
図２は、貯蔵手段１１〜１３に含まれた貯蔵用ベルト１１を少しだけ示す。このベルトは、多数の明瞭な貯蔵位置を有し、それらの幾つかは、１１３、１１４、１１５、・・・１１ｎで参照される。例えば、１０００のそのような位置が存在することが可能である。
【０００９】
図３に示されるように、貯蔵手段１１〜１３は、それぞれ銀行紙幣の送り出し及び送り込みに依存して、第一ベルトリール１１１に巻かれかつそれからほどかれる、更に第二ベルトリール１１２に巻かれかつそれからほどかれる、第一ベルト１１を具備する。更に貯蔵手段は、第一ベルト１１と共に第一ベルトリール１１１に巻かれかつそれからほどかれる第二ベルト１２と、第一ベルト１１と共に第二ベルトリール１１２からほどかれかつそれに巻かれる第三ベルト１３とを具備する。
【００１０】
第二及び第三ベルト１２及び１３は、共に、内部の銀行紙幣送り込み／銀行紙幣送り出し開口１５を形成し、そこには、複数位置通路選択手段１６が配列され、第一位置１６１に位置する際に、複数位置通路選択手段１６により、入ってくる銀行紙幣は、第二ベルトリール１１２の第一ベルト１１と第三ベルト１３の間に貯蔵され（入ってくる銀行紙幣の先端は選択手段を片側に押動し）、更に第二位置１６２に位置する際に、複数位置通路選択手段１６により、銀行紙幣は、第二ベルトリール１１２の第一ベルト１１と第三ベルト１３の間の貯蔵位置から分配される。通路選択手段１６が第一位置１６１に位置する場合に、銀行紙幣は、ベルト１１、１２の間に配置される際に第一ベルトリール１１から及びそこまで移動可能であり、更にベルト１１、１３の間に配置される際に第二ベルトリール１１２まで及びそこから移動可能である。
【００１１】
それゆえ、ベルト１１は、第一ベルトリール１１１（左）に巻かれかつそこからほどかれること、更に第二ベルトリール１１２（右）に巻かれかつそこからほどかれることが可能にされる。
【００１２】
ベルト１２は、第一ベルト１１と共に第一ベルトリール１１１に巻かれかつそこからほどかれること、更に二つの中間のガイドローラ１２５、１２７を介して第三ベルトリール１２３（左）からほどかれかつそこに巻かれることが可能にされる。
【００１３】
ベルト１３は、第一ベルト１１と共に第二ベルトリール１１２に巻かれかつそこからほどかれること、更に二つの中間のガイドローラ１２６、１２８を介して第四ベルトリール１２４（右）からほどかれかつそこに巻かれることが可能にされる。
【００１４】
それゆえ、銀行紙幣の送り込み及び送り出しは、それぞれ第二ベルトリール１１２まで及びそこから行われ、銀行紙幣の移動は、ベルトリール１１１、１１２の間で両方向（右〜左、左〜右）に行われる。
【００１５】
外からアクセス可能な送り込み又は預け用開口１７と貯蔵手段１１〜１３の間には、予備貯蔵手段１８が配置され、その容量（約２０の銀行紙幣）は、貯蔵手段１１〜１３の容量よりも小さい。銀行紙幣が装置に送り込まれかつ実質的に整理されかつ検出される際に、予備貯蔵手段は、貯蔵空間に一時的に銀行紙幣を貯蔵し、続いて貯蔵手段の移動可能なベルト１３、１１と正確に同期して、銀行紙幣を貯蔵手段１１〜１３まで送る。
【００１６】
予備貯蔵手段１８は、ガイドローラ１８８を介して端部リール１８４、１８６の間に延長する第四ベルト１８２を有する。運搬用通路１８１の上側通路１８１１は、送り出し開口１９から予備貯蔵手段１８まで延長し、運搬用通路１８１の下側通路１８１２は、第三通路選択手段３６が第二位置３６２に位置する際に第二通路選択手段２６からカセットモジュール４４まで延長し、更に第三選択手段３６が第一位置３６１に位置する際に送り出し開口１９まで延長する。第二通路選択手段２６が第二位置２６２に位置する際には、金銭的価値のある文書は、一時的な貯蔵のために、貯蔵手段１１〜１３から貯蔵用リール１８４まで送られることが可能にされる。第二通路選択手段２６が第一位置２６１に位置する際には、金銭的価値のある文書は、第三通路選択手段３６が設定される位置に依存して、貯蔵手段１１〜１３から、装置の送り出し開口１９まで又はカセットモジュール４４の収集カセット２０まで送られることが可能にされる。
【００１７】
上述された説明は、本発明のある主要な作動原理及び装置のある主要な構成要素を扱っている。実際の装置の上述された実施形態の使用方法は、以下詳細に説明される。
【００１８】
処理モジュール４１は、送り込み開口１７と、送り出し開口１９と、運搬通路に曲がった又は誤って配置された銀行紙幣を整理するように作用する、銀行紙幣の整理及び配置手段４１１と、関連する銀行紙幣の型式を確認する検出器４１２と、銀行紙幣の押し引き手段４１３と、銀行紙幣を送り出し開口１９に戻す運搬手段４１４とを有する。
【００１９】
処理モジュールは、送り込み開口１７に置かれた混ぜられた銀行紙幣の束から銀行紙幣を分離すること、更に銀行紙幣の価値を確認し、確認された銀行紙幣を予備貯蔵モジュールまで送るか受け入れられない銀行紙幣を送り出し開口１９に戻すために、分離された銀行紙幣を検出器４１２まで連続して運搬することに使用される。
【００２０】
銀行紙幣は、一秒あたりに約五つの銀行紙幣の速度で分離され、長手方向に（短い側部を先頭にして）運搬され、続いて銀行紙幣の整理及び配置手段４１１の修正位置まで調節され、更に検出器４１２で検出される。受け入れられない銀行紙幣は、銀行紙幣の押し引き手段４１３を通過して運搬され、受け入れられた銀行紙幣は、短手方向に、つまり一方の長い側部を先頭にして、予備貯蔵モジュール４２まで押される又は引かれる。
【００２１】
予備貯蔵モジュール４２は、それぞれ上側及び下側通路１８１１及び１８１２を備えた運搬通路と、貯蔵リール１８４と、端部リール１８６と、ガイドローラ１８８及び貯蔵ベルト１８２と、それぞれ第二及び第三通路選択手段２６及び３６とを有する。
【００２２】
予備貯蔵モジュール４２は、処理モジュール４１から受け取られた銀行紙幣を一時的に貯蔵するのに使用され、例えば２０の銀行紙幣を貯蔵可能である。更にモジュール４２は、例えばベルト１１の空の空間を減少させかつ作動時間を減少させるために、貯蔵手段の空間の認識が必要とされる際に、主要な貯蔵手段１１〜１３から受け取られる銀行紙幣を一時的に貯蔵するのに使用される。更に予備貯蔵モジュール４２は、送り出し開口１９又は収集カセット２０まで銀行紙幣を運搬するのに使用される。
【００２３】
銀行紙幣の押し引き手段４１３を介して処理モジュール４１から受け取られる銀行紙幣、又は主要な貯蔵モジュール４３から受け取られる銀行紙幣は、貯蔵リール１８４に貯蔵される。貯蔵リール１８４は、重量が小さく、銀行紙幣の先端が検出されると始動し、かつ銀行紙幣の後端が検出されると停止することが可能であり、一秒当たり約五つの銀行紙幣の速度である。貯蔵手段１１〜１３への銀行紙幣の運搬は、主要な貯蔵モジュール４３への処理装置からの信号によって制御される。装置が始動されると、銀行紙幣は、まず貯蔵リール１８４から送りだされ、位置Ａで停止する。リール１８４は、モジュール４３の処理装置からの同期信号に応答して反時計まわりの回転を始動し、銀行紙幣は、貯蔵手段１１〜１３の空の貯蔵位置まで運搬される。次の銀行紙幣の先端が、位置Ａに到達し、モジュール４３からの新しい同期信号を待つ、等の際には、リール１８６、１８４は回転を停止する。すべての銀行紙幣が貯蔵リール１８４から送りだされる際に、ベルト１８２は戻されて更なる銀行紙幣を受け取る。ベルト１８２、１１及び１３の加速度及び速度、Ａの位置、及びベルト１８２が始動される時間が選択され、入ってくる銀行紙幣は、ベルト１１の所定の位置に正確に到達する。例えば１５cmである、位置の長手の延長部分に沿って複数の記号を備えた、及び二つの位置の間の境界に異なる種類の記号を備えた、ベルト１１の片側の端部に沿ったデジタルコードにより、その位置は決定可能である。これにより、主要な貯蔵モジュールの処理装置は、それぞれの位置に貯蔵された銀行紙幣の型式に関する情報を記憶可能である。
【００２４】
これまで想定されてきたこととして、すべての位置は同一の長手の延長部分を有する。当然ながら、これは絶対的な条件ではなく、位置の長手の延長部分は、異なる寸法の銀行紙幣の束の場合でも、貯蔵される銀行紙幣の長さに適合可能であり、当然ながら、銀行紙幣の間の距離は必要に応じて適合される。
【００２５】
貯蔵手段１１〜１３から到達する銀行紙幣は、通常、処理モジュール４１の送り出し開口１９まで、つまり通常の分配処理によって、運搬される。貯蔵手段１１〜１３での銀行紙幣の再編成が必要な場合に、銀行紙幣は、第二位置２６２（破線）の第二通路選択手段２６によって貯蔵リール１８４に案内される。続いて銀行紙幣は、主要な貯蔵モジュール４３の処理装置からの信号の制御の下で、貯蔵手段１１〜１３の分離した空の貯蔵位置まで戻して運搬される。
【００２６】
貯蔵手段１１〜１３が空にされなければならない場合、又はより多くの空間が銀行紙幣の送り込みに必要とされる場合には、送り出し開口１９に近接して配置された第三通路選択手段３６は、第二位置３６２（破線）に切り換えられ、収集カセット２０まで銀行紙幣を案内する。
【００２７】
主要な貯蔵モジュール４３は、ベルトリール１１１、１１２、１２３及び１２４と、ガイドローラ１２５、１２６、１２７及び１２８と、ベルト１１、１２及び１３と、通路選択手段１６と、銀行紙幣の整理及び配置手段４２１とを有する。
【００２８】
主要な貯蔵モジュール４３は、混ざった種類の約１０００の銀行紙幣の貯蔵に使用される。モジュールは、約１２０ｍの長さを有する、及び各位置に一つの銀行紙幣のための場所を備えた１０００のコード化された位置に分割された、幅が広いコード化されたプラスチックベルトを有する。
【００２９】
通路選択手段１６の位置は、銀行紙幣がリール１１２、１１１の間に運搬されるか、第二通路選択手段２６の方にベルト１２、１３の間まで運搬されるかを決定する。通路選択手段１６の通常の位置は、実線で示される第一位置１６１である。銀行紙幣の整理及び配置手段４２１は、それぞれの位置の各銀行紙幣の位置を確認し、ベルト１１の移動の際に通常の位置からのずれを修正する。モジュールの処理装置のメモリは、銀行紙幣の有する位置及び種類の情報を記憶する。
【００３０】
送り込み機能が開始されると、ベルト１１は、始動され、ベルトリール１１１からベルトリール１１２まで継続的に移動する。通路選択手段１６は、実線で示される第一位置１６１に位置する。ベルトの位置のコードが読み取られ、更に占有されていない位置に出くわす際には、同期信号が予備貯蔵モジュール４２に送られる。受け取られた銀行紙幣は、通路選択手段１６を通過し、ベルト１１及び１３の間を通ってベルトリール１１２に到達する。ベルトは、すべての銀行紙幣が受け取られた後に停止される。
【００３１】
モジュールは、制御されて、ベルトリール１１２の貯蔵された銀行紙幣の大部分を保持し、ベルトリール１１１は、主に空の位置を有する。
【００３２】
送り出し又は分配機能の開始の際に、ベルト１１は、始動され、ベルトリール１１２からベルト１１１まで移動する。処理装置のメモリからの情報は、どの位置が必要な種類を有しているかを示す。必要な銀行紙幣の種類又は値に出くわす際に、通路選択手段１６は、短い間、破線で示される第二位置１６２に位置する。通路選択手段１６は、ベルト１１の選択された位置の銀行紙幣を取り込み、銀行紙幣を予備貯蔵モジュール４２に案内する。通路選択手段が実線で示される第一位置１６１に位置するために、選択されない位置の銀行紙幣は、通路選択手段の下を通過する。これらの銀行紙幣は、ベルト１１、１２の間のベルトリール１１１に貯蔵される。すべての必要な銀行紙幣がベルトから取られると、ベルトは停止される。銀行紙幣の送り出しによってもたらされたベルト１１の空の位置は、続いて予備貯蔵モジュール４２から受け取られた新しい銀行紙幣を貯蔵するために次の処理で使用可能である。
【００３３】
貯蔵手段１１〜１３を空にする際、又は該手段に含まれる銀行紙幣の数が所定の数を超過する際、又はある種類又は値の銀行紙幣の数が所定の数を超過する際に、貯蔵手段１１〜１３から銀行紙幣を受け取るためにカセットモジュール４４は使用される。収集カセット２０は、１５００までの銀行紙幣を有することが可能である。
【００３４】
送り込み及び送り出し機能は、これまでは互いに分離した処理として説明されてきた。しかしながら、装置は、結合された処理として実施することも可能である。例えば、装置は、銀行紙幣の混ざった束の受け取り、種類の確認、総額の計算、及び銀行紙幣の一時的な予備貯蔵を行う。続いて装置は、貯蔵手段１１〜１３の異なる位置から得られた銀行紙幣の差を送り出し、更に予備貯蔵された銀行紙幣を該手段に送る。SEK800を預けようとする顧客は、キーパッド１０でこの総額を入力し、SEK1000の値の銀行紙幣を送り込み又は預け用開口１７に配置する。装置は、SEK200を送り出し開口１９に送り、SEK1000を貯蔵手段１１〜１３に貯蔵する。
【００３５】
上述されたように、三つのモジュール４１、４２、４３のそれぞれは、様々な作動処理を制御するために、ソフトウエア４１５、４２５、４３５と電子回路４１６、４２６、４３６を備えた個々の処理装置を有する。更にカセットモジュール４４は、それ自身の電子回路４４６を有する。処理装置は、局部的な回路網４５を介し、更に処理装置４６５及び電子回路４６６を有する伝達ユニット４６を介して、指令手段１０に結合される。
【００３６】
銀行紙幣の整理及び再配置手段は、好適には、我々のスウェーデン特許出願第9501181-3 号に説明されている種類のものであり、その内容は、参考として本特許文献に含まれている。
【図面の簡単な説明】
【図１】図１は、例えば指令手段及び貯蔵手段である、本発明の装置の様々なユニットを説明する。
【図２】図２は、貯蔵位置を有し、かつ図１に示された装置に含まれる、ベルトを説明する。
【図３】図３は、貯蔵手段の構成をより詳細に説明する。
【図４】図４は、装置のソフトウエア構造を説明する。
【符号の説明】
１０…指令手段
１１、１２、１３…貯蔵手段（ベルト）
１４…メモリ
１６…通路選択手段
１１３、１１４、１１５、・・１１ｎ…位置
１６１…第一位置
１６２…第二位置
４１２…検出器
【図１】
0003683639.tif 000002
【図２】
0003683639.tif 000003
【図３】
0003683639.tif 000004
【図４】
0003683639.tif 000005